(57)【要約】【課題】撮像素子に入射する光を無駄なく利用しつつ、ケラレを抑制する。【解決手段】デジタルカメラ１は、被写体の光学像を得る撮像レンズ４１と、光学像を画像信号に変換して出力する撮像素子４３と、撮像素子４３から出力された画像信号に基づいて、光学像に対応した画像データを生成する集積回路５と、を備える。集積回路５の拡大処理部５４は、撮像レンズ４１の中央部を通して得た中央光学像Ｉｃに比して、該撮像レンズ４１の周縁部を通して得た周縁光学像Ｉｒを拡大するように、画像信号に対して信号処理を施す。【選択図】図４
2019165308.tif 000002
【特許請求の範囲】
【請求項１】
被写体の光学像を得る撮像レンズと、
前記光学像を画像信号に変換して出力する撮像素子と、
前記撮像素子から出力された画像信号に基づいて、前記光学像に対応した画像データを生成する信号処理部と、を備え、
前記信号処理部は、前記撮像レンズの中央部を通して得た中央光学像に比して、該撮像レンズの周縁部を通して得た周縁光学像を拡大する拡大処理を実行するように、前記画像信号に対して信号処理を施す
ことを特徴とする撮像装置。
【請求項２】
請求項１に記載された撮像装置において、
前記撮像素子は、矩形状の受光面を有し、
前記信号処理部は、前記拡大処理に際して、前記受光面の長手方向に沿って前記周縁光学像を引き延ばす
ことを特徴とする撮像装置。
【請求項３】
請求項１又は２に記載された撮像装置において、
前記信号処理部は、前記拡大処理に際して、所定の拡大率を以て前記周縁光学像を拡大するように構成され、
前記拡大率は、前記中央光学像から離れている部位に対しては、該中央光学像に対して近い部位と比較して大きく設定されている
ことを特徴とする撮像装置。
【請求項４】
請求項３に記載された撮像装置において、
前記拡大率は、前記中央光学像から所定範囲内にある部位に対しては、１に設定されている
ことを特徴とする撮像装置。
【請求項５】
請求項１から４のいずれか１項に記載された撮像装置において、
前記撮像レンズは、そのズーム倍率を変更可能に構成され、
前記信号処理部は、前記ズーム倍率が所定倍率以上のときには、前記拡大処理を実行しない
ことを特徴とする撮像装置。
【発明の詳細な説明】
【技術分野】
【０００１】
ここに開示する技術は、撮像装置に関する。
【背景技術】
【０００２】
デジタルカメラ、監視カメラ等、撮像レンズと撮像素子を用いた撮像装置においては、ケラレ（口径食）という現象が広く知られている。この現象は、イメージサークルが小さな撮像レンズと、イメージサイズが大きな撮像素子とを組み合わせたときに発生するものであり、ケラレが生じると、画像データの周縁部が黒く欠けてしまう。
【０００３】
特許文献１には、ケラレを抑制するための方策が例示されている。具体的に、特許文献１に記載されている撮像装置（カメラ）は、撮像素子のイメージサイズに対して撮像レンズのイメージサークルが小さいときには、撮像素子の受光面におけるイメージサークルの内側から矩形状の領域を切り出す。そして、その矩形状の領域に入射した光のみを用いて画像データを生成する。これにより、ケラレの無い画像データを得ることができる。
【先行技術文献】
【特許文献】
【０００４】
【特許文献１】特開２０１７−２２０８１１号公報
【発明の概要】
【発明が解決しようとする課題】
【０００５】
しかしながら、前記特許文献１に記載されているように、イメージサークルの内側から矩形状の領域を切り出してしまうと、撮像素子に入射した光のうちの一部しか画像データの生成に用いることはできない。その他の光については、画像データの生成に利用されないため無駄となる。その結果、より局所的な領域を撮像した画像データが生成されることになるため、不都合である。
【０００６】
ここに開示する技術は、かかる点に鑑みてなされたものであり、その目的とするところは、撮像素子に入射する光を可能な限り無駄なく活用しつつ、ケラレを抑制することにある。
【課題を解決するための手段】
【０００７】
ここに開示する技術は、撮像装置に関する。この撮像装置は、被写体の光学像を得る撮像レンズと、前記光学像を画像信号に変換して出力する撮像素子と、前記撮像素子から出力された画像信号に基づいて、前記光学像に対応した画像データを生成する信号処理部と、を備える。
【０００８】
そして、前記信号処理部は、前記撮像レンズの中央部を通して得た中央光学像に比して、該撮像レンズの周縁部を通して得た周縁光学像を拡大する拡大処理を実行するように、前記画像信号に対して信号処理を施す。
【０００９】
ここで、「中央光学像」の語は、被写体の光学像のうち、撮像レンズの中央部を通して得た光学像を意味する。また、「周縁光学像」の語は、被写体の光学像のうち、撮像レンズの周縁部を通して得た光学像を意味する。
【００１０】
この構成によれば、前記信号処理部は、中央光学像に比して周縁光学像を拡大する。前述のように、ケラレという現象は、画像データの周縁部に生じるものである。ケラレの近傍には、撮像レンズの周縁部を通して得た周縁光学像が配置されることになる。よって、この周縁光学像を拡大することで、ケラレが生じた部位を、画像データとして表示される領域の外部へ追いやることができる。そのことで、ケラレを抑制することが可能となる。
【００１１】
また、前記の構成は、撮像素子に入射した光のうちの一部のみを用いるのではなく、可能な限り多くの光を活用するものである。よって、撮像素子に入射する光を無駄なく利用し、より広い範囲を撮像した画像データを生成することができる。
【００１２】
ところで、一般的な撮像装置の場合、機械的なズーム機構を作動させることによって、そのズーム倍率を変更することができる。この場合、ズーム倍率を変更する度に、駆動音が生じることになる。
【００１３】
しかしながら、例えば野鳥観察のように、可能な限り静粛にすることが求められる場合もある。この場合、被写体をズームアップしようとしたときに、前述のように駆動音が生じてしまっては不都合である。
【００１４】
対して、前記の構成は、相対的に拡大された周縁光学像と、それよりも拡大されていない中央光学像とを、１つの画像データ上に同時に表示させることができる。これにより、例えば遠近両用メガネにおいて遠方を観察するときのように、撮像レンズの周縁部を用いて被写体を観察すると、機械的なズーム機構を用いずとも、被写体をズームアップすることが可能となる。
【００１５】
このように、前記の構成によると、ケラレの抑制に係る課題と、被写体のズームアップに係る課題という、互いに異質な課題を同時に解決することができる。
【００１６】
また、前記撮像素子は、矩形状の受光面を有し、前記信号処理部は、前記拡大処理に際して、前記受光面の長手方向に沿って前記周縁光学像を引き延ばす、としてもよい。
【００１７】
一般的な撮像装置の場合、受光面の長手方向は、水平方向に略一致する。
【００１８】
よって、前記の構成は、撮像レンズの周縁部を通して得た光学像である周縁光学像を、略水平方向に引き延ばすことができる。このことは、拡大処理に際して、ユーザに与える違和感を抑制する上で有効である。
【００１９】
また、前記信号処理部は、前記拡大処理に際して、所定の拡大率を以て前記周縁光学像を拡大するように構成され、前記拡大率は、前記中央光学像から離れている部位に対しては、該中央光学像に対して近い部位と比較して大きく設定されている、としてもよい。
【００２０】
撮像レンズの中央部を通して得た光学像である中央光学像は、画像データの中央部に位置することになる。よって、前記の構成によれば、画像データの中央部から離れている部位は、該中央部に近い部位と比較して、より大きく拡大されることになる。
【００２１】
一般に、ユーザの撮像対象は、画像データの中央部付近に位置することになる。よって、この中央部付近の拡大率を相対的に小さく設定することで、ユーザに与える違和感を抑制する上で有利になる。
【００２２】
さらに、前記拡大率は、前記中央光学像から所定範囲内にある部位に対しては、１に設定されている、としてもよい。
【００２３】
また、前記撮像レンズは、そのズーム倍率を変更可能に構成され、前記信号処理部は、前記ズーム倍率が所定倍率以上のときには、前記拡大処理を実行しない、としてもよい。
【００２４】
一般に、望遠時にはケラレは発生しないため、拡大処理は不要となる。このように、拡大処理が不要となる状況下においては、そもそも拡大処理を実行しないように構成することで、ユーザに違和感を与える機会そのものを減らすことができる。
【発明の効果】
【００２５】
以上説明したように、前記撮像装置は、撮像素子に入射する光を無駄なく利用しつつ、ケラレを抑制することができる。
【図面の簡単な説明】
【００２６】
【図１】図１は、デジタルカメラの概略構成を例示するブロック図である。
【図２】図２は、撮像レンズのイメージサークルと、撮像素子のイメージサイズとを比較して示す図である。
【図３】図３は、拡大処理を施さずにケラレを抑制する方法を例示する図である。
【図４】図４は、拡大処理を施す前後の画像データを比較して示す図である。
【図５】図５は、拡大率を例示する図である。
【図６】図６は、拡大処理に関する制御プロセスを例示するフローチャートである。
【図７】図７は、デジタルカメラの外観を例示する図である。
【発明を実施するための形態】
【００２７】
以下、本発明の実施形態を図面に基づいて説明する。なお、以下の説明は例示である。
【００２８】
すなわち、本明細書では、撮像装置の一例としてデジタルカメラについて説明するが、ここに開示する技術は、これに限らず、監視カメラなど、撮像装置一般に適用することができる。
【００２９】
〈全体構成〉
図１は、撮像装置としてのデジタルカメラ１の概略構成を例示するブロック図である。また、図７は、このデジタルカメラ１の外観を例示する図である。
【００３０】
デジタルカメラ１は、各種機器を収容するカメラ本体２と、被写体を撮像する撮像ユニット４と、撮像ユニット４から出力された画像信号を処理するための集積回路５と、を備えている。また、デジタルカメラ１には、画像信号をフレーム単位で一時的に記録するメモリ６と、メモリ６に記録された画像信号を長期的に記録する記録媒体７と、カメラ本体２の後面に設けられ、画像データを表示する表示部８と、が設けられている。
【００３１】
カメラ本体２は、左右方向に横長でありかつ、その上面にはシャッタボタン２ｂが設けられている。カメラ本体２の前面には、後述の撮像レンズ４１等が取り付けられるようになっている。
【００３２】
また、撮像ユニット４は、被写体を結像して光学像を得るための撮像レンズ４１と、露光量を調整するための絞り４２と、被写体の光学像（被写体像）を光電変換するとともに、そうして得られた画像信号を集積回路５へと出力する撮像素子４３と、を有する。
【００３３】
撮像レンズ４１は、被写体からの光を集光し、絞り４２を介して撮像素子４３に入射させる。図２の上図に示すように、撮像レンズ４１によって集光された光は、所定の半径ｒを有するイメージサークルＣの範囲内で、撮像素子４３の受光面４３ａ上で結像する。
【００３４】
撮像レンズ４１には、ズーム機構とフォーカス機構とが組み込まれている（ともに図示せず）。ズーム機構は、撮像レンズ４１を移動させることにより、この撮像レンズ４１のズーム倍率を変更する。フォーカス機構は、撮像レンズ４１に組み込まれたフォーカス撮像レンズを移動させて、ピント合わせを行う。
【００３５】
絞り４２は、集積回路５から出力された制御信号を受けて、撮像素子４３に入射する光量を調整する。撮像レンズ４１と絞り４２とを通過した光は、撮像素子４３上に入射して被写体像を結像する。
【００３６】
撮像素子４３は、その受光面４３ａに配置された複数の画素により、被写体像を光電変換して電気信号へ変換する。具体的に、撮像素子４３としては、例えば、ＣＭＯＳイメージセンサ、ＣＣＤイメージセンサ等の固体撮像素子を用いることができる。図２に示すように、撮像素子４３の受光面４３ａは矩形状に形成されており、所定のイメージサイズを有している。撮像素子４３によって得られた電気信号は、“生の画像信号”として集積回路５へ出力される。
【００３７】
なお、デジタルカメラ１は、不図示の電子シャッタ機構を有しており、前述のシャッタボタン２ｂを押圧することにより作動する。この電子シャッタ機構が作動することにより、撮像素子４３によって光電変換された画像信号を読み出す。そのときのシャッタスピードは、適宜、調整可能である。例えば、被写体が相対的に明るく、撮像素子４３へ入射する光量が相対的に多い場合にはシャッタスピードを速めたり、被写体が相対的に暗く、撮像素子４３へ入射する光量が相対的に少ない場合にはシャッタスピードを遅くしたりすることにより、露光量を調整することができる。
【００３８】
一方、集積回路５は、樹脂製の制御基板上に実装されたＡＳＩＣ（Application Specific Integrated Circuit：特定用途向けの集積回路）であって、種々の処理を実行可能な回路として構成されている。集積回路５は、「信号処理部」の例示である。
【００３９】
具体的に、集積回路５は、生の画像信号に対してＡ／Ｄ変換をはじめとする前処理を施す前処理部５１と、前処理された画像信号に対してホワイトバランス調整をはじめとする後理を施す後処理部５２と、絞り４２等を作動させるためのドライバ４４を制御する制御部５３と、を有している。
【００４０】
前処理部５１は、撮像素子４３から出力された生の画像信号に対して相関２重サンプリング（いわゆるＣＤＳ）処理を施した後、不図示のゲインコントロールアンプ（いわゆるＡＧＣ）を用いて所定の信号レベルに増幅する。信号レベルのゲイン（ＡＧＣゲイン）は、自動的に整えることができる。その後、前処理部５１は、信号レベルが調整された画像信号に対して、Ａ／Ｄ変換を施す。そうして、前処理部５１は、前処理後の画像信号として、撮像ユニット４により得られた被写体像に対応するディジタル信号を出力する。
【００４１】
後処理部５２は、前処理部５１から出力されたディジタル信号（前処理後の画像信号）に対して、色分離、ＲＧＢ変換、ホワイトバランス調整等を行った上で、ＹＵＶ変換を施す。そして、後処理部５２は、後処理後の画像信号として、ＹＵＶ変換により生成された信号（ＹＵＶ信号）を出力する。このＹＵＶ信号は、画像データとしてメモリ６や記録媒体７に記録させたり、表示部８に表示させたりすることができる。
【００４２】
制御部５３は、予め規定された設定情報や、後処理部５２によって後処理された画像信号等に基づいて制御信号を生成する。制御部５３は、生成した制御信号をドライバ４４へと出力し、ドライバ４４を介して撮像レンズ４１、絞り４２及び撮像素子４３を制御する。
【００４３】
ドライバ４４は、撮像レンズ４１、絞り４２及び撮像素子４３のそれぞれに接続されている。このドライバ４４は、例えば、撮像レンズ４１に組み込まれたズーム機構を作動させて、撮像レンズ４１のズーム倍率を調整する。
【００４４】
デジタルカメラ１は、撮像レンズ４１のズーム倍率を望遠側に設定した望遠モードと、それよりも広角側に設定したノーマルモードとの間で切り替えることができる。図２の下図に示すように、望遠モードにおいては、イメージサークルＣの内側の領域が、そのズーム倍率に応じて拡大される。
【００４５】
このノーマルモードのように、撮像素子４３の受光面４３ａのサイズ（以下、「イメージサイズ」という）に対してイメージサークルＣが小さいとき（具体的には、受光面４３ａの対角長張に対して、イメージサークルＣの直径（＝２×ｒ）が小さいとき）には、
いわゆるケラレが生じる可能性がある（図２の領域Ｒｖを参照）。ケラレが生じると、画像データの周縁部が黒く欠けてしまう。
【００４６】
ケラレを抑制するための方策としては、例えば、図３に示す方法が提案されている。具体的には、図３の上図に示すように、撮像素子４３の受光面４３ａにおけるイメージサークルＣの内側から矩形状の領域Ｒｓを切り出す。そして、図３の下図に示すように、その矩形状の領域Ｒｓに入射した光のみを用いて画像データを生成する。これにより、ケラレの無い画像データを得ることができる。
【００４７】
しかしながら、イメージサークルＣの内側から矩形状の領域Ｒｓを切り出してしまうと、イメージサークルＣの内側に入射した光のうちの一部しか画像信号に用いることはできない。図３の領域Ｒｕ、Ｒｄのように、イメージサークルＣの内側であっても、画像データの生成に利用できない部位が生じてしまう。具体的に、図例では、当初は６行７列の丸印を撮像したにもかかわらず、１行目の丸印と、６行目の丸印とが欠けて表示されることになる。
【００４８】
対して、本実施形態に係る集積回路５は、後処理された画像信号に対して後述の拡大処理を行うための拡大処理部５４を有している。この拡大処理によって、撮像素子４３に入射する光を無駄なく利用しつつ、ケラレを抑制することができる。
【００４９】
以下、この拡大処理部５４に関連した構成について説明する。
【００５０】
〈拡大処理部に関連した構成〉
図４は、拡大処理を施す前後の画像データを比較して示す図である。また、図５は、拡大率を例示する図である。
【００５１】
拡大処理部５４は、後処理部５２から出力された画像信号に対して所定の信号処理を施すことにより、撮像レンズ４１によって得られた光学像のうち、撮像レンズ４１の中央部を通して得た光学像である中央光学像Ｉｃに比して、撮像レンズ４１の周縁部を通して得た光学像である周縁光学像Ｉｒを拡大する。こうした一連の処理を、以下の記載では「拡大処理」という。
【００５２】
ここで、撮像レンズ４１の中央部とは、図７に示す光軸Ｊに対応する部位を指す。この部位を通して得た光学像である中央光学像Ｉｃとは、図４の鎖線Ｙ付近に位置する光学像を指す。具体的に、図４に示す例では、４列目の丸印が、これに該当する。
【００５３】
対して、撮像レンズ４１の周縁部とは、光軸Ｊから径方向に離れている部位を指す。この部位を通して得た光学像である周縁光学像Ｉｒとは、図４の鎖線Ｙから離れている光学像を指す。具体的に、図４に示す例では、１〜２列目の丸印と、６〜７列目の丸印とが、これに該当する。
【００５４】
詳しくは、拡大処理部５４は、拡大処理に際して、受光面４３ａの長手方向に沿って周縁光学像Ｉｒが引き延ばされるように、信号処理を行う。なお、本実施形態では、デジタルカメラ１を両手で左右から持ったときに、受光面４３ａの長手方向が、水平方向と略一致することになる。この場合、拡大処理部５４は、拡大処理に際して、水平方向に沿って画像を引き伸ばすことになる。
【００５５】
また、拡大処理部５４は、拡大処理に際して、所定の拡大率を以て周縁光学像Ｉｒを拡大するように構成されている。この拡大率は、メモリ６等に予め記憶されており、拡大処理部５４が必要に応じて読み込むようになっている。
【００５６】
拡大率は、中央光学像Ｉｃから離れている部位（つまり、受光面４３ａの中央部から離れている部位）に対しては、その中央光学像Ｉｃに対して近い部位と比較して、大きく設定されている。
【００５７】
詳しくは、図５に示すように、中央光学像Ｉｃから所定範囲ｒａ内の部位に対しては、拡大率は１に設定されている（図４の一点鎖線も参照）。ここで、拡大率は、拡大前のサイズに対する拡大後のサイズの比を示している。すなわち、拡大処理部５４は、所定範囲ｒａ内にある部位に関しては、拡大処理を実質的に実行しない。
【００５８】
そして、中央光学像Ｉｃから所定範囲ｒａ外にある部位に対しては、拡大率は１よりも大きく設定される。そして、拡大率は、当該中央部から離れるにしたがって、図５に示すように漸増する。
【００５９】
すなわち、拡大処理部５４は、所定範囲ｒａ内の部位については拡大処理を実質的に実行せず（拡大率＝１）、所定範囲ｒａ外の部位については図５に示した拡大率に基づいて拡大処理を実行する。
【００６０】
例えば、後述のようにズーム倍率を連続的に変更するように構成した場合、ズーム倍率に応じて拡大される領域が所定範囲ｒａ内に収まっていれば、拡大処理は実質的に実行されない。対して、ズーム倍率に応じて拡大される領域の少なくとも一部が、この所定範囲ｒａ外にはみ出していれば、そのはみ出した部分に対して拡大処理が実行される。
【００６１】
具体的に、前述の望遠モードにおいては、レンズサークルＣの内側の領域が拡大されるため、図２の下図に示すように、拡大処理を実行せずとも、ケラレは発生しない。よって、拡大処理部５４は、望遠モードでは拡大処理を実行せず、ノーマルモードにおいてのみ拡大処理を実行する。
【００６２】
〈具体的な制御例〉
続いて、集積回路５が行う処理のうち、表示部８へと画像データを表示するための処理について、図６に示すフローチャートを参照しながら説明する。
【００６３】
まず、ステップＳ１において、生の画像信号に対して、前処理部５１が前処理を施す。
【００６４】
次に、ステップＳ２において、前処理後の画像信号に対して、後処理部５２が後処理を施す。
【００６５】
次に、ステップＳ３において、集積回路５が、デジタルカメラ１が望遠モードにあるか否かを判定する。この判定がＹＥＳのとき（望遠モードにあるとき）には、ステップＳ４〜ステップＳ５をスキップしてステップＳ６へ進む一方、この判定がＮＯのとき（広角モードにあるとき）には、ステップＳ４へ進む。前者の場合には、画像データとして、後処理後の画像信号を表示部８へと出力する。
【００６６】
次に、ステップＳ４において、拡大処理部５４が、図５に例示した拡大率を読み込む。
【００６７】
次に、ステップＳ５において、拡大処理部５４が、ステップＳ４にて読み込んだ拡大率に基づいて、後処理後の画像信号に対して拡大処理を施す。拡大処理部５４は、受光面４３ａの長手方向に沿って周縁光学像Ｉｒが拡大されるように、画像信号に対して信号処理を施す。
【００６８】
ステップＳ６において、集積回路５は、表示部８上に画像データを表示する。ステップＳ４〜Ｓ５を経由した場合には、拡大処理後の画像データを表示することになる。
【００６９】
〈まとめ〉
以上説明したように、集積回路５は、中央光学像Ｉｃに比して周縁光学像Ｉｒを拡大する。前述のように、ケラレという現象は、画像データの周縁部に生じるものである。ケラレの近傍には、撮像レンズ４１の周縁部を通して得た周縁光学像Ｉｒが配置されることになる。よって、この周縁光学像Ｉｒを拡大することで、ケラレが生じた部位Ｒｖを、画像データとして表示される領域の外部へと追いやることができる。そのことで、ケラレを抑制することが可能となる。
【００７０】
また、前記の拡大処理は、撮像素子４３に入射した光のうちの一部のみを用いるのではなく、可能な限り多くの光を活用するものである。よって、撮像素子４３に入射する光を無駄なく利用しつつ、ケラレを抑制することが可能となる。
【００７１】
ところで、一般的な撮像装置の場合、機械的なズーム機構を作動させることによって、そのズーム倍率を変更することができる。この場合、ズーム倍率を変更する度に、駆動音が生じることになる。
【００７２】
しかしながら、例えば野鳥観察のように、可能な限り静粛にすることが求められる場合もある。この場合、被写体をズームアップしようとしたときに、前述のように駆動音が生じてしまっては不都合である。
【００７３】
対して、本実施形態に係るデジタルカメラ１は、図４の下図に示すように、相対的に拡大される周縁光学像Ｉｒと、それよりも拡大されていない中央光学像Ｉｃとを、１つの画像データ上に同時に表示させることができる。これにより、例えば遠近両用メガネにおいて遠方を観察するときのように、撮像レンズ４１の周縁部を用いて被写体を観察すると、機械的なズーム機構を用いずとも、被写体をズームアップすることが可能となる。
【００７４】
このように、本実施形態に係るデジタルカメラ１は、ケラレの抑制に係る課題と、被写体のズームアップに係る課題という、互いに異質な課題を同時に解決することができる。
【００７５】
また、図４に示すように、一般的なデジタルカメラ１の場合、受光面４３ａの長手方向は、水平方向に略一致する。よって、前記の拡大処理は、撮像レンズ４１の周縁部を通して得た光学像である周縁光学像Ｉｒを、略水平方向に引き延ばすことになる。このことは、拡大処理に際して、ユーザに与える違和感を抑制する上で有効である。
【００７６】
また、撮像レンズ４１の中央部を通して得た光学像である中央光学像Ｉｃは、図４の上図に示すように、画像データの中央部に位置することになる。よって、図４の下図に示すように、画像データの中央部から離れている部位は、該中央部に近い部位と比較して、より大きく拡大されることになる。
【００７７】
一般に、ユーザの撮像対象は、画像データの中央部に位置することになる。よって、図５に示すように、この中央部付近の拡大率を相対的に小さく設定することで、ユーザに与える違和感を抑制する上で有利になる。
【００７８】
また、前記望遠モードには、イメージサークルＣの内側の領域が拡大されるため、拡大処理を実行せずともケラレは発生しない。このように、拡大処理が不要とされる状況下においては、拡大処理を実行しないように構成することで、ユーザに違和感を与える機会そのものを減らすことができる。
【００７９】
《他の実施形態》
前記実施形態では、集積回路５はＡＳＩＣとして構成されていたが、これには限られない。例えば、前処理用の回路と、後処理用の回路と、ＣＰＵとを組み合わせた構成としてもよい。
【００８０】
また、前記実施形態では、ズーム倍率を望遠側に設定した望遠モードと、それよりも広角側に設定したノーマルモードとの間で切り替え可能に構成されていたが、これには限定されない。例えば、ズーム倍率を連続的に変更することもできる。
【００８１】
この場合、ズーム倍率が高いときには、低いときと比較してケラレは発生し難くなる。よって、拡大処理部５４は、このズーム倍率が所定倍率以上のときには、前述の拡大処理を実行しない、としてもよい。
【００８２】
また、前記実施形態では、拡大処理部５４にて拡大処理を行うように構成されていたが、これには限られない。例えば、前処理部５１や後処理部５２で拡大処理を行うように構成してもよい。この場合、拡大処理は、前処理および後処理に前後して、或いは、前処理および後処理の途中に実行されることになる。
【００８３】
また、周縁光学像Ｉｒよりも小さな拡大率で中央光学像Ｉｃを拡大したり、周縁光学像Ｉｒを受光面４３ａの短手方向に拡大したりすることもできる。
【符号の説明】
【００８４】
１      デジタルカメラ（撮像装置）
４１    撮像レンズ
４３    撮像素子
４３ａ  受光面
５      集積回路（信号処理部）
Ｉｃ    中央光学像
Ｉｒ    周縁光学像
【図１】
2019165308.tif 000003
【図２】
2019165308.tif 000004
【図３】
2019165308.tif 000005
【図４】
2019165308.tif 000006
【図５】
2019165308.tif 000007
【図６】
2019165308.tif 000008
【図７】
2019165308.tif 000009